(57)【要約】【課題】筐体間の距離を変更することにより、施工性、輸送性を向上させることができるグリッド天井取付用の照明器具を提供する。【解決手段】一対の筐体１１０であって、各筐体１１０ａ，１１０ｂが光源を備え、一方の筐体１１０ａの光源と他方の筐体１１０ｂの光源とを点灯させる点灯ユニットを一方の筐体１１０ａが備える一対の筐体１１０と、一対の筐体１１０の各筐体１１０ａ，１１０ｂ同士の間隔が変更自在となるように一対の筐体１１０の各筐体１１０ａ，１１０ｂ同士を連結する連結具２００であって、他方の筐体１１０ｂの光源と一方の筐体１１０ａが備える点灯ユニットとを接続する電線をガイドするガイド部を備える連結具２００とを備える。【選択図】図１
2013187038.tif 000002
【特許請求の範囲】
【請求項１】
一対の筐体であって、各筐体が光源を備え、一方の筐体の光源と他方の筐体の光源とを点灯させる点灯装置を前記一方の筐体が備える一対の筐体と、
前記一対の筐体の各筐体同士の間隔が変更自在となるように前記一対の筐体の各筐体同士を連結する連結具であって、前記他方の筐体の光源と前記一方の筐体が備える前記点灯ユニットとを接続する電線をガイドするガイド部を備える連結具と
を備えることを特徴とする照明器具。
【請求項２】
前記一対の筐体の各筐体は、筐体上面部と筐体下面部と筐体前面部とを備える直方体形状であり、前記筐体上面部に、前記一方の筐体から前記他方の筐体の方向に延びた長穴を備え、
前記連結具は、長形であるとともに長手方向に直交する断面の形状がＬ字形状であり、Ｌ字形状を形成する長形の外面を２つ有し、
前記連結具は、さらに、前記２つの外面の一外面の端部に部材挿入孔を備え、前記一外面が前記筐体上面部の内面に当接するとともに前記部材挿入孔の位置が前記長穴の位置に対応するように、前記一方の筐体から前記他方の筐体の方向にスライドすることにより、前記一対の筐体の各筐体同士の間隔を変更し、
前記照明器具は、さらに、前記一対の筐体の各筐体同士の間隔が所定の間隔となる位置で前記一外面と前記筐体上面とを締結する締結部材であって、前記長穴に挿入されるとともに前記部材挿入孔に挿入される締結部材を備えることを特徴とする請求項１に記載の照明器具。
【請求項３】
前記一対の筐体の各筐体は、前記長穴の長手方向の端部に切り欠き部を備え、
前記締結部材は、前記長穴の前記切り欠き部に嵌め込まれるとともに前記部材挿入孔に挿入されることにより前記一外面と前記筐体上面とを締結することを特徴とする請求項２に記載の照明器具。
【請求項４】
前記連結具は、前記ガイド部として、前記２つの外面により形成される角部の内側に、前記電線を通す環状の電線通過部材を備える
ことを特徴とする請求項１〜３のいずれかに記載の照明器具。
【発明の詳細な説明】
【技術分野】
【０００１】
本発明は、例えば、グリッド天井に取り付ける照明器具に関するものである。
【背景技術】
【０００２】
グリッド天井取付用の照明器具は、６００ｍｍもしくは６４０ｍｍのグリッド内部の全ての領域を占有し、グリッド（格子領域）の対向する２辺のＴバーに筐体が各々配置され、筐体間の中央スペースにアネモや設備プレートが搭載可能な構造を有する。
【０００３】
上記の構造では、アネモや設備プレートを取り付ける中央のスペースは、照明器具としては必要のない部分であるにもかかわらず、この必要のない部分を有するため、輸送時には荷姿が大きくなってしまい、運搬時の積載効率も通常の天井埋め込み照明器具と比較すると劣っている。
【０００４】
従来技術では、２つの筐体をケーブルのみで接続する構造にすることにより、２つの筐体の間隔を自由に変更することができるグリッド天井取付用の照明器具がある（特許文献１参照）。
【先行技術文献】
【特許文献】
【０００５】
【特許文献１】特開２００３−１７３７１５号公報
【発明の概要】
【発明が解決しようとする課題】
【０００６】
特許文献１に記載の照明器具は、筐体間の間隔を固定する構造ではなく、各筐体は独立した２つの照明器具である。したがって、取付施工時に各筐体を調整する必要があり、取付作業効率が劣るという課題がある。
【０００７】
また、筐体間の間隔が固定されていないため、Ｔバーに照明器具を載せる作業も２回必要になり、施工効率が劣るという課題がある。
【０００８】
また、２つの筐体の距離を一定に保つフレームを有する照明器具もあるが、２つの筐体の距離を一定に保つフレームを有するため、輸送時の荷姿を小さくまとめることができず、輸送効率・積載効率が劣るという課題がある。
【０００９】
本発明は、輸送時には筐体間の距離を縮めて荷姿を小さくすることにより輸送効率を高め、取付時には筐体間の距離を容易に変更することができ、かつ、Ｔバーへの取付施工も容易に行うことができる照明器具を提供することを目的とする。
【課題を解決するための手段】
【００１０】
本発明にかかる照明器具は、一対の筐体であって、各筐体が光源を備え、一方の筐体の光源と他方の筐体の光源とを点灯させる点灯ユニットを前記一方の筐体が備える一対の筐体と、前記一対の筐体の各筐体同士の間隔が変更自在となるように前記一対の筐体の各筐体同士を連結する連結具であって、前記他方の筐体の光源と前記一方の筐体が備える前記点灯ユニットとを接続する電線をガイドするガイド部を備える連結具を備えることを特徴とする。
【発明の効果】
【００１１】
本発明にかかる照明器具は、一対の筐体であって、各筐体が光源を備え、一方の筐体の光源と他方の筐体の光源とを点灯させる点灯ユニットを前記一方の筐体が備える一対の筐体と、前記一対の筐体の各筐体同士の間隔が変更自在となるように前記一対の筐体の各筐体同士を連結する連結具であって、前記他方の筐体の光源と前記一方の筐体が備える前記点灯ユニットとを接続する電線をガイドするガイド部を備える連結具を備えるので、輸送時には筐体間の距離を縮めて荷姿を小さくすることにより輸送効率を高め、取付時には筐体間の距離を容易に変更して取付時の作業効率・施工性を高めることができる照明器具を提供することができる。
【図面の簡単な説明】
【００１２】
【図１】実施の形態１に係る照明器具１００のグリッド天井取付時の斜視図（見下ろし図）である。
【図２】実施の形態１に係る照明器具１００のグリッド天井取付時の斜視図（見上げ図）である。
【図３】実施の形態１に係る照明器具１００の輸送時の斜視図（見下ろし図）である。
【図４】実施の形態１に係る照明器具１００の輸送時の斜視図（見上げ図）である。
【図５】実施の形態１に係る連結具２００の構造を示す図であり、（ａ）は連結具２００のＡ−Ａ断面、（ｂ）は、連結具２００の端部の斜視図である。
【図６】実施の形態１に係るグリッド天井取付時の照明器具１００における連結具２００と筐体１１０との締結部分について示した図である。
【図７】実施の形態１に係る輸送時の照明器具１００における連結具２００と筐体１１０との締結部分について示した図である。
【図８】実施の形態１に係る連結具２００のＡ−Ａ断面と筐体１１０内部を示した図である。
【発明を実施するための形態】
【００１３】
実施の形態１．
図１は、本実施の形態に係る照明器具１００のグリッド天井取付時の斜視図（見下ろし図）である。図２は、本実施の形態に係る照明器具１００のグリッド天井取付時の斜視図（見上げ図）である。図１及び図２を用いて、本実施の形態に係る照明器具１００のグリッド天井取付時の形態（形状）の全体構成について説明する。
【００１４】
本実施の形態に係る照明器具１００は、例えば、Ｔバーにより形成されたグリッド（格子領域）を備えるグリッド天井（システム天井）に取り付ける照明器具である。グリッド天井は、１辺が６００ｍｍもしくは６４０ｍｍのグリッドを備えており、照明器具１００はグリッドの格子領域を占有するように配置されて取り付けられる。
【００１５】
図１及び図２に示す照明器具１００は、グリッド天井に取り付ける時の状態を示している。照明器具１００は、一対の筐体１１０（１１０ａ，１１０ｂ）を備える。一対の筐体１１０の各筐体１１０ａ，１１０ｂは、筐体上面１１１（筐体上面部）、筐体下面１１５（筐体下面部）、筐体前面１１４（筐体前面部）、筐体外側面１１２と、筐体内側面１１３とを備える直方体形状である。一対の筐体１１０（１１０ａ，１１０ｂ）は、短手方向（左右方向ともいう）に並べられ、略平行となるように配置される。
【００１６】
以下において、構成部の符号に添え字を付した場合は、添え字に対応する筐体１１０（１１０ａ、あるいは１１０ｂ）の構成部を示すものとする。例えば、筐体１１０ａは筐体上面１１１ａ、筐体下面１１５ａを有し、筐体１１０ｂは筐体上面１１１ｂ、筐体下面１１５ｂを有すると記載する。添え字が付されていない場合、例えば、筐体１１０と記載した場合は、各筐体１１０（筐体１１０ａ、あるいは筐体１１０ｂ）を示す場合もあれば、両方の筐体１１０ａ，１１０ｂを示す場合もある。
【００１７】
筐体１１０は、内部に光源を備える。筐体１１０は、例えば、ＬＥＤ（発光ダイオード）を光源とする光源ユニット（光源モジュール、光源基板）を内部に収納する。光源は、ＬＥＤに限られず、他の光源でもよい。図２に示すように、筐体下面１１５は、開口を有し、内部に収納された光源は筐体下面１１５の開口から光を外部に照射する。
【００１８】
筐体下面１１５は、配光板１１７を備える。配光板１１７は、筐体１１０の内部から照射される光を配光したり（光の照射方向を変更したり）、光を反射させて効率よく照射したりするための部材である。
【００１９】
筐体１１０は、グリッドを形成するＴバーに照明器具１００を取り付けるためのＴバー取付金具１５０を備える。Ｔバー取付金具１５０は、筐体前面１１４と、筐体前面１１４に対向する面である筐体後面に設けられる。
【００２０】
また、筐体１１０は、筐体下面１１５の短手方向の両側の側部にプレート保持部１５１を備える。プレート保持部１５１は、例えば、筐体１１０ａと筐体１１０ｂとの間の中央スペース３０１に配置される設備プレートやアネモ等を保持する。プレート保持部１５１は、筐体下面１１５の短手方向の両側の側部から筐体下面１１５の短手方向の両側に突き出ている板部である。
【００２１】
照明器具１００は、光源（光源ユニット）に電力を供給する電源装置、光源を点灯させる点灯装置等を内部に収納する。電源装置及び点灯装置等を点灯ユニットともいう。照明器具は、光源ユニットを各筐体１１０ａ，１１０ｂに備える。すなわち、照明器具１００の有する光源ユニットは２つである。しかし、照明器具１００は、２つの光源ユニットを点灯させるための点灯ユニットを、筐体１１０ａと筐体１１０ｂとのうちのいずれか一方に備える。
【００２２】
一対の筐体１１０は、一方の筐体１１０ａの光源ユニットと他方の筐体１１０ｂの光源ユニットとを点灯させる点灯ユニット（電源装置及び点灯装置）を、例えば、一方の筐体１１０ａに備える。本実施の形態では、筐体１１０ａに点灯ユニットを備えるものとする。
【００２３】
図１及び図２に示すように、筐体１１０ａは、電源装置に接続するための電源端子台１２１と、電源装置に接続するための信号線端子台１２２とを内部に収納する。筐体１１０ａの備える電源端子台１２１と信号線端子台１２２とは、筐体１１０ａのみが備えており筐体１１０ｂは備えていない。照明器具１００では、筐体１１０ａの備える電源端子台１２１と信号線端子台１２２とにより、筐体１１０ａの光源ユニットと筐体１１０ｂの光源ユニットとの両方を制御する。
【００２４】
筐体１１０ａの備える電源端子台１２１と信号線端子台１２２とは、電線を挿入する端子部が筐体１１０ａの筐体外側面１１２ａに露出するように取り付けられる。
【００２５】
照明器具１００は、一対の筐体１１０の各筐体１１０ａ，１１０ｂ同士の間隔が変更自在となるように、一対の筐体１１０の各筐体１１０ａ，１１０ｂ同士を連結する連結具２００を備える。連結具２００は、加工性や強度を考慮すると金属が好ましいが、所望の加工性や強度を備えた素材であれば金属でなくても樹脂等でもよい。
【００２６】
筐体１１０は、筐体内側面１１３の長手方向両端部の上方の２カ所に連結具を挿入するための挿入開口部１１６を有する（図１、図２参照）。連結具２００は、両側の端部が筐体１１０ａの挿入開口部１１６ａと筐体１１０ｂの挿入開口部１１６ｂとに各々挿入され、筐体上面１１１ａ，１１１ｂにネジ止めされることにより、筐体１１０ａと筐体１１０ｂとを連結する。
【００２７】
上述したように、筐体１１０ｂの光源を点灯させるための電源装置は、筐体１１０ａの内部に収納されているので、筐体１１０ａの内部の電源装置と筐体１１０ａの内部の光源ユニットとを接続する電線及び信号線、筐体１１０ａの内部の電源装置と筐体１１０ｂの内部の光源ユニットとを接続する電線及び信号線が必要となる。
【００２８】
特に、筐体１１０ａの内部の電源装置と筐体１１０ｂの内部の光源ユニットとは異なる筐体に配置されているので、電線及び信号線を筐体１１０ａから筐体１１０ｂへ渡す必要がある。連結具２００は、他方の筐体１１０ｂの光源と一方の筐体１１０ａが備える点灯ユニット（点灯装置及び電源装置）とを接続する電線（電線、信号線、リード線）をガイドするガイド部２３０（図８参照）を備える。連結具２００の構成、連結具２００と筐体１１０との連結方法等についての詳細は後述する。
【００２９】
図１及び図２に示す照明器具１００の形態（形状）は、１辺がＬ１０（図示なし）のグリッド（格子領域）に取り付けられる際の形態（形状）であるとする。このとき、グリッドの１辺Ｌ１０は、６００ｍｍもしくは６４０ｍｍである。また、図１及び図２に示す照明器具１００の形態（形状）は、筐体１１０ａと筐体１１０ｂとの間隔が最大値となった形態（形状）である。
【００３０】
一対の筐体１１０（１１０ａ，１１０ｂ）は、短手方向（左右方向）に並べて配置される。筐体１１０ａと筐体１１０ｂとの間隔はＬ３である。つまり、筐体内側面１１３ａと筐体内側面１１３ｂとの距離はＬ３である。筐体１１０の短手方向の長さをＬ４とする。筐体１１０ａの筐体外側面１１２ａと筐体１１０ｂの筐体外側面１１２ｂとの距離をＬ１とする。Ｌ１とＬ４とＬ３との関係は、概ねＬ１＝Ｌ４＋Ｌ３＋Ｌ４となる。
【００３１】
筐体の長手方向（前後方向ともいう）の長さをＬ２とする。照明器具１００は、１辺の長さＬ１０のグリッドの内側に配置されるので、概ねＬ１０＝Ｌ２、Ｌ１０＝Ｌ１となる。筐体１１０ａの筐体内側面１１３ａと筐体１１０ｂの筐体内側面１１３ｂとの間の空間（中央スペース３０１）が、アネモや設備プレートを取り付けるスペースとなる。
【００３２】
図３は、本実施の形態に係る照明器具１００の輸送時の斜視図（見下ろし図）である。図４は、本実施の形態に係る照明器具１００の輸送時の斜視図（見上げ図）である。図３及び図４を用いて、本実施の形態に係る照明器具１００の輸送時の形態（形状）の全体構成について説明する。
【００３３】
図３に示すように、照明器具１００は、輸送時には筐体１１０ａと筐体１１０ｂとの間隔（以下、筐体間距離３００とする）をＬ６に縮めることができる。図３に示す筐体間距離３００（Ｌ６）は、最小値である。筐体下面１１５の短手方向の両側の側部からはプレート保持部１５１が突き出しており、両側のプレート保持部１５１ａ，１５１ｂは接している。プレート保持部１５１ａ，１５１ｂが突き出ている長さをそれぞれＬ６１とすると、概ねＬ６＝Ｌ６１×２となり、両側のプレート保持部１５１ａ，１５１ｂが接しているので、筐体間距離３００はＬ６以下に縮めることはできない。
【００３４】
図３に示す照明器具１００の短手方向の幅Ｌ５は、図１及び図２に示す照明器具１００の短手方向の幅Ｌ１よりも、（Ｌ３−Ｌ６）分短くなる。図３及び図４に示す照明器具１００の形態は、図１及び図２に示す照明器具１００の形態よりも全体として小さくなる。したがって、輸送時等の荷姿が小さくなり、積載効率が高まり、輸送効率も向上する。
【００３５】
図１及び図３に示すように、筐体１１０は、筐体上面１１１の長手方向の端部近傍に、短手方向に延びた長穴（スライド用開口部１３３）を備える。筐体１１０は、筐体上面１１１の長手方向（前後方向）の両側の端部近傍に、それぞれ長穴（スライド用開口部１３３）を備える。長穴（スライド用開口部１３３）は、短手方向に延びた形状の孔である。
【００３６】
図５は、本実施の形態に係る連結具２００の構造を示す図であり、（ａ）は連結具２００のＡ−Ａ断面（図１）、（ｂ）は、連結具２００の端部の斜視図である。図５に示すように、連結具２００は、長形であるとともに長手方向に直交する断面の形状がＬ字形状である。筐体１１０に取り付けられた場合に、上方を向く面を連結具上面２０１（外面の一例）、前側を向く面を連結具前面２０２（外面の一例）とする。連結具２００は、Ｌ字形状を形成する長形の２つの外面（連結具上面２０１、連結具前面２０２）を有する。
【００３７】
図１、図３、及び図５に示すように、連結具２００の連結具上面２０１の端部には上面ネジ孔２１０が設けられ、連結具２００の連結具前面２０２の端部には前面ネジ孔２２０が設けられる。ここでは、筐体前面１１４側の連結具２００について説明しているが、筐体後面側の連結具２００についても同様の構造である。本実施の形態の照明器具１００は、前後方向を逆にして説明しても、同様の構成となるものである。
【００３８】
連結具２００は、連結具上面２０１（一外面）が筐体上面１１１の内面（裏面）に当接するとともに上面ネジ孔２１０（部材挿入孔）の位置がスライド用開口部１３３（長穴）の位置に対応するように、左右方向（短手方向）（前記一方の筐体から前記他方の筐体の方向）にスライドすることにより、筐体間距離３００（各筐体同士の間隔）を変更する。また、連結具前面２０２（他外面）が筐体前面１１４の内面（裏面）に当接する。
【００３９】
図１に示すグリッド天井取付時の照明器具１００では、連結具２００の端部とスライド用開口部１３３の中央スペース３０１側の端部とが締結ネジＡ１３１により締結されている。図１に示すように、筐体１１０ａのスライド用開口部１３３ａの中央スペース３０１側の端部と連結具２００の筐体１１０ａ側の端部とが締結ネジＡ１３１ａにより締結され、筐体１１０ｂのスライド用開口部１３３ｂの中央スペース３０１側の端部と連結具２００の筐体１１０ｂ側の端部とが締結ネジＡ１３１ｂにより締結される。筐体後面側の構造も同様である。
【００４０】
図３に示す輸送時の照明器具１００では、連結具２００の端部とスライド用開口部１３３の筐体外側面１１２側（外側）の端部とが締結ネジＡ１３１により締結されている。図３に示すように、筐体１１０ａのスライド用開口部１３３ａの筐体外側面１１２ａ側（外側）の端部と連結具２００の筐体１１０ａ側の端部とが締結ネジＡ１３１ａにより締結され、筐体１１０ｂのスライド用開口部１３３ｂの筐体外側面１１２ｂ側（外側）の端部と連結具２００の筐体１１０ｂ側の端部とが締結ネジＡ１３１ｂにより締結される。筐体後面側の構造も同様である。
【００４１】
締結ネジＡ１３１は、一対の筐体１１０の各筐体同士の間隔が所定の間隔となる位置で、連結具上面２０１（一外面）と筐体上面１１１とを締結する締結部材であって、スライド用開口部１３３（長穴）に挿入されるとともに上面ネジ孔２１０（部材挿入孔）に挿入される締結部材である。
【００４２】
図６は、本実施の形態に係るグリッド天井取付時の照明器具１００における連結具２００と筐体１１０との締結部分について示した図である。
【００４３】
図６に示すようにスライド用開口部１３３は、両側の端部が筐体前面１１４側に切り欠かれた切り欠き部１３３１，１３３２を備える。スライド用開口部１３３の中央スペース３０１側の端部の切り欠きを切り欠き部１３３１とし、スライド用開口部１３３の切り欠き部１３３１とは反対側の端部の切り欠きを切り欠き部１３３２とする。
【００４４】
グリッド天井取付時の照明器具１００では、連結具２００の端部の上面ネジ孔２１０の位置と、スライド用開口部１３３の中央スペース３０１側の端部の切り欠き部１３３１の位置とを合わせてネジ止めしている。締結ネジＡ１３１は、切り欠き部１３３１に嵌め込まれるとともに上面ネジ孔２１０に挿入され締結されるので、連結具２００が短手方向（左右方向）にずれることがない。
【００４５】
筐体１１０は、上面ネジ孔２１０の位置と切り欠き部１３３１の位置とが重なる（同一の位置となる）場合に、連結具前面２０２の前面ネジ孔２２０の位置に対応する位置の筐体前面１１４に内側ネジ孔１３４を備える。上面ネジ孔２１０の位置と切り欠き部１３３１の位置とが重なる（同一の位置となる）場合に、連結具前面２０２の前面ネジ孔２２０の位置と筐体１１０の内側ネジ孔１３４の位置とが重なる（同一の位置となる）ので、重なった位置に締結ネジＢ１３２を挿入してネジ止めする。前面ネジ孔２２０と内側ネジ孔１３４とに締結ネジＢ１３２を挿入してネジ止めすることにより、連結具２００と筐体１１０とは、上面と前面との２方向から締結され、がたつくことなく連結される。
【００４６】
図６では、切り欠き部１３３１よりも点線で示した上面ネジ孔２１０の方が大きく記載されており、また、切り欠き部１３３２よりも点線で示した前面ネジ孔２２０の方が大きく記載されているが、これは位置関係をわかりやすくするための記載である。切り欠き部１３３１と上面ネジ孔２１０との大きさは概ね同一が好ましく、また、切り欠き部１３３２と前面ネジ孔２２０との大きさは概ね同一が好ましい。後述する図７の説明においても、同様である。
【００４７】
照明器具１００には、連結具２００と筐体１１０とが締結される部分は４カ所ある（図１参照）。連結具２００と筐体１１０とが締結される全ての箇所において、上面ネジ孔２１０の位置と切り欠き部１３３１の位置とを合わせて締結することにより、図１に示すように、筐体間距離３００が最大値のＬ３となり、照明器具１００の全体の形態（形状）がグリッドに取り付けられる状態となる。
【００４８】
また、上述したように、筐体１１０ａ，１１０ｂと連結具２００とは、がたつくことなく、かつ、ずれることなく連結されるので、グリッド天井に取り付ける場合には、１度の取付動作により筐体１１０ａ，１１０ｂをＴバーに載置することが可能となり、取付作業が容易となる。
【００４９】
図７は、本実施の形態に係る輸送時の照明器具１００における連結具２００と筐体１１０との締結部分について示した図である。
【００５０】
輸送時の照明器具１００では、連結具２００の端部の上面ネジ孔２１０の位置と、スライド用開口部１３３の筐体外側面１１２側（外側）の端部の切り欠き部１３３２の位置とを合わせてネジ止めしている。締結ネジＡ１３１は、切り欠き部１３３２に嵌め込まれるとともに上面ネジ孔２１０に挿入され締結されるので、連結具２００が短手方向（左右方向）にずれることがない。
【００５１】
筐体１１０は、上面ネジ孔２１０の位置と切り欠き部１３３２の位置とが重なる（同一の位置となる）場合に、連結具前面２０２の前面ネジ孔２２０の位置に対応する位置の筐体前面１１４に外側ネジ孔１３５を備える。上面ネジ孔２１０の位置と切り欠き部１３３２の位置とが重なる（同一の位置となる）場合に、連結具前面２０２の前面ネジ孔２２０の位置と筐体１１０の外側ネジ孔１３５の位置とが重なる（同一の位置となる）ので、重なった位置に締結ネジＢ１３２を挿入してネジ止めする。前面ネジ孔２２０と外側ネジ孔１３５とに締結ネジＢ１３２を挿入してネジ止めすることにより、連結具２００と筐体１１０とは、上面と前面との２方向から締結され、がたつくことなく連結される。
【００５２】
連結具２００と筐体１１０とが締結される全ての箇所において、上面ネジ孔２１０の位置と切り欠き部１３３２の位置とを締結することにより、図３に示すように、筐体間距離３００が最小値のＬ６となり、照明器具１００の全体の形態（形状）を小さくすることができる。
【００５３】
図１はグリッド天井取付時の照明器具１００の形態（形状）であり、図３は輸送時のために小さく変形した照明器具１００の形態（形状）であるとして説明した。しかし、本実施の形態に係る照明器具１００では、輸送時の状態でも点灯することができる構造である。したがって、壁際やパーテーション近傍などのように、照明器具１００の取付スペースが十分確保できないような取付環境においては、図３に示すような照明器具１００の形態（形状）で取り付けることができ点灯することができる。図３に示すような照明器具１００の形態（形状）であれば、通常の取付状態（グリッド天井取付時）の約２／３の占有面積にて取付・点灯することが可能である。
【００５４】
あるいは、筐体１１０ａでは、上面ネジ孔２１０ａの位置（連結具２００の端部）と切り欠き部１３３２ａ（外側の切り欠き部）の位置とが重なるように締結し、筐体１１０ｂでは、上面ネジ孔２１０ｂの位置（連結具２００の端部）と切り欠き部１３３１ｂ（内側の切り欠き部）の位置とが重なるように締結することにより、通常の取付状態（グリッド天井取付時）の約５／６の占有面積にて取付・点灯することが可能である。
【００５５】
また、図６に示すように、連結具２００が締結されている状態から、締結ネジＢ１３２を取り外し、締結ネジＡ１３１をゆるめることにより、締結ネジＡ１３１を取り外すことなく、締結ネジＡ１３１のネジ棒をスライド用開口部１３３内にて短手方向（左右方向）にスライドさせることが可能である。例えば、切り欠き部を切り欠き部１３３３の位置に設けることにより、連結具２００の上面ネジ孔２１０の位置を切り欠き部１３３３の位置でネジ止めすることも可能である。これにより、照明器具１００の占有面積を、より柔軟に変更することができる。
【００５６】
締結ネジＡ１３１は、完全に取り外すことなく、緩めることにより、スライド用開口部１３３内を移動することができる。また、締結ネジＡ１３１の位置は、スライド用開口部１３３両端の切り欠き部１３３１，１３３２（切り欠き部１３３３でもよい）に固定することにより、輸送時、取付時の外形寸法を維持することができる。スライド用開口部１３３両端の切り欠き部１３３１，１３３２（切り欠き部１３３３でもよい）は、締結ネジＡ１３１の固定位置の位置決め機能を有している。
【００５７】
図８は、本実施の形態に係る連結具２００のＡ−Ａ断面図である。連結具２００は、断面Ｌ字形状の内側に、他方の筐体１１０ｂの光源と一方の筐体１１０ａが備える点灯ユニット（点灯装置及び電源装置）とを接続する電線（電線、信号線、リード線）（以下、内部配線１２３とする）をガイドするガイド部２３０を備える。例えば、連結具２００は、ガイド部２３０として、２つの外面（連結具上面２０１と連結具前面２０２）により形成される角部の内側に、内部配線１２３を通す環状の電線通過部材（クリップ１２４）を備える。
【００５８】
図８に示すように、連結具２００の角部の内側には、例えば、樹脂製のクリップ１２４等をガイド部２３０として配置する。ガイド部２３０は環状でなくともよい。内部配線１２３をまとめて、連結具２００の角部の裏側に保持することができればどのようなものでもよい。
【００５９】
内部配線１２３は、連結具２００（接続金具）内に収納されており、連結具２００は筐体１１０の筐体内側面１１３の挿入開口部１１６から筐体１１０内部に貫通している。そして、筐体１１０が移動する際には、挿入開口部１１６の板金の切断面等は、連結具２００の外側に位置するので、内部配線１２３に接触することがない。また、内部配線１２３は、連結具２００の角部の内側に電線通過部材（クリップ１２４）等によりガイドされるので、構成部品（締結ネジＡ１３１や締結ネジＢ１３２等）が内部配線１２３に接触することもない。以上のように、照明器具１００は、内部配線１２３が傷つかないような可動構造を有している。
【００６０】
以上のように、本実施の形態に係る照明器具によれば、グリッド天井取付用として、２つの筐体１１０ａ，１１０ｂと、それら２つの筐体１１０ａ，１１０ｂを締結する２つの接続金具（連結具２００）（筐体前面側の連結具２００と筐体後面側の連結具２００）により構成され、電源及び信号線端子台は２つの筐体のうち、片側１つの筐体（例えば、筐体１１０ａ）に実装されるので、取付時の照明器具１００の調整のための作業が簡単となる。
【００６１】
また、本実施の形態に係る照明器具１００によれば、筐体１１０は、接続金具（連結具２００）との締結部（締結位置）を複数有しており、締結部（締結位置）を変更することにより、２つの筐体１１０間の距離が変更できるので、輸送時には全体形状を小さくして荷姿を小さくし積載効率・輸送効率を高めることができる。
【００６２】
また、本実施の形態に係る照明器具１００によれば、筐体１１０には異形の長穴が加工してあり、ネジまたはクイックラッチを緩めることにより、筐体を接続金具に沿ってネジが長穴上（スライド用開口部１３３内）をスライドするように、移動することが可能となり、作業性が向上する。
【００６３】
また、本実施の形態に係る照明器具１００によれば、スライド用開口部１３３内は、直線（スライド方向）と直交する方向に切り欠き（切り欠き部１３３１，１３３２）を有しており、この切欠き部分にネジまたはクイックラッチを固定する事により意図した設計値と同様の外寸を有することが可能となる。
【００６４】
また、本実施の形態に係る照明器具１００によれば、電源及び信号線端子台は片側の筐体のみに配置するため、２つの筐体の距離がどんな場合も端子台の接続には影響せず、どの形態でも通電して、点灯が可能である。
【００６５】
また、本実施の形態に係る照明器具１００によれば、２つの筐体間の距離を最小にすることにより、照明器具１００の容積をグリッド取付時の２／３にすることができるため、保管スペース、必要輸送車手配台数も２／３となり、保管コスト、輸送コストの削減となる。
【００６６】
また、本実施の形態に係る照明器具１００によれば、本体２個が独立した構造のものと比較すると、接続金具（連結具２００）内に配線を通すことができるため、器具外用のケーブルが不要となり、取付施工性も簡易であり、仕上寸法も安定する。
【００６７】
また、本実施の形態に係る照明器具１００によれば、接続金具（連結具２００）は、２つの筐体に内蔵され、筐体間の距離を縮める事により、照明器具１００の外形を小さくすることができる。さらに、器具内（筐体内）の電線を接続金具内に配置する事により、筐体間の距離を移動させる際に、電線が移動する板金切断面等に接触することなく、接続金具に保護され、電線が傷つかないように可動することができる。
【符号の説明】
【００６８】
１００  照明器具、１１０，１１０ａ，１１０ｂ  筐体、１１１  筐体上面、１１２  筐体外側面、１１３  筐体内側面、１１４  筐体前面、１１５  筐体下面、１１６  挿入開口部、１１７  配光板、１２１  電源端子台、１２２  信号線端子台、１２３  内部配線、１２４  クリップ、１３１  締結ネジＡ、１３２  締結ネジＢ、１３３  スライド用開口部、１３４  内側ネジ孔、１３５  外側ネジ孔、１５０  Ｔバー取付金具、１５１  プレート保持部、２００  連結具、２０１  連結具上面、２０２  連結具前面、２１０  上面ネジ孔、２２０  前面ネジ孔、２３０  ガイド部、３００  筐体間距離、３０１  中央スペース、１３３１，１３３２，１３３３  切り欠き部。
【図１】
2013187038.tif 000003
【図２】
2013187038.tif 000004
【図３】
2013187038.tif 000005
【図４】
2013187038.tif 000006
【図５】
2013187038.tif 000007
【図６】
2013187038.tif 000008
【図７】
2013187038.tif 000009
【図８】
2013187038.tif 000010